(57)【要約】【課題】本発明が解決しようとする課題は、転写ヘッド以外は被転写面に接することなく、把持して使用することができながら、だれでもうまく転写できるものを提供することである。【解決手段】ケースから突設した転写ヘッドにて感圧転写テープの転写塗膜を被転写面に転写する自動巻取り式の塗膜転写具において、ケース外方向へ付勢されている可動部をケース内方向へ押し込み、その押し込んだ位置でケースと可動部とに係止機構がなく、力を与えながら可動部を保持している状態にして塗膜を転写する塗膜転写具であって、可動部が転写ヘッドの保護カバーと連動しており、可動部を押し込むと保護カバーが動いて転写可能となることを特徴とするものである。【選択図】図６
2014024203.tif 000002
【特許請求の範囲】
【請求項１】
転写塗膜を基材テープ表面に形成している感圧転写テープが、繰出しリールから繰り出されて転写ヘッドを介して巻取りリールに巻かれるように、繰出しリールと巻取りリールの連動機構と共にケースに配置されており、ケースから突設した転写ヘッドにて感圧転写テープの転写塗膜を被転写面に転写する自動巻取り式の塗膜転写具において、
ケース外方向へ付勢されている可動部をケース内方向へ押し込み、その押し込んだ位置でケースと可動部とに係止機構がなく、力を与えながら可動部を保持している状態にして塗膜を転写する塗膜転写具であって、
可動部が転写ヘッドの保護カバーと連動しており、可動部を押し込むと保護カバーが動いて転写可能となることを特徴とする塗膜転写具。
【請求項２】
可動部に連動して保護カバーが動く距離が、可動部を押し込む距離よりも長いことを特徴とする請求項１に記載の塗膜転写具。
【請求項３】
距離の違いがてこ機構によるものであることを特徴とする請求項２に記載の塗膜転写具。
【発明の詳細な説明】
【技術分野】
【０００１】
本発明は、塗膜転写具に関するものである。塗膜転写具は、基材テープ表面に形成している転写塗膜を被転写面に転写するものである。塗膜転写具には感圧転写テープを装填しており、その感圧転写テープは、基材テープ表面に転写塗膜を形成しているものである。塗膜転写具の転写ヘッドにて、感圧転写テープの基材テープ背面から押圧して、基材テープ表面の転写塗膜を被転写面に転写する。特に本発明では、使用者の慣れなどによらずだれでも、感圧転写テープの転写塗膜を被転写面にうまく転写できる塗膜転写具に関するものである。
【背景技術】
【０００２】
従来より塗膜転写具は、修正テープやテープのりなどの商品名で販売されている。修正テープでは、装填される感圧転写テープの転写塗膜が、誤字などを隠蔽して再筆記可能にするための修正塗膜である。テープのりでは、その転写塗膜が紙同士などを接着するための粘着塗膜である。
【０００３】
このように目的によって、転写塗膜の種類が異なっている。また、転写塗膜を形成している感圧転写テープを装填する塗膜転写具において、その構成は、次のようなものである。
【０００４】
感圧転写テープが繰出しリールから繰り出されて転写ヘッドを介して巻取りリールに巻かれるように、繰出しリール、転写ヘッド、巻取りリール、および、感圧転写テープを塗膜転写具のケースに配置している。
【０００５】
繰出しリールは、転写前の感圧転写テープが巻かれている。転写ヘッドは、転写塗膜を被転写面に転写することができるように、ケースから突出して設けており、感圧転写テープの基材テープ背面から被転写面に押圧することができる。巻取りリールは、塗膜転写後の基材テープを巻き取れるようになっている。
【０００６】
繰出しリールと巻取りリールには連動機構があり、繰出しリールから巻取りリールまでテープがなめらかに動く。連動機構としては一般的に、ギアやＯリングなどが利用される。連動機構により、転写ヘッドにて感圧転写テープの転写塗膜を被転写面に転写させながら塗膜転写具を動かすことで、繰出しリールから感圧転写テープが繰り出されて、巻取りリールに基材テープが巻かれるまで、自動に巻き取られるように（テープ自動巻取り式に）なっている。
【０００７】
これらが塗膜転写具のケースに設けられているので、塗膜転写具を使用者が持って使用することができる。塗膜転写具は、このような構成である。
【０００８】
ところで、このような塗膜転写具は、使用者の持ち方によって、うまく転写できたりできなかったりすることがある。そこで、だれでもうまく転写できるように、コンピュータ入力装置である「マウス」のような持ち方で使用することができるものが開発されている。例えば、特開２００５−０６７１５３号公報、特開２００８−２９０２５７号公報、特開２００９−２５５３３０号公報、特開２０１０−０３６５５０号公報などがある。
【先行技術文献】
【特許文献】
【０００９】
【特許文献１】特開２００５−０６７１５３号公報
【特許文献２】特開２００８−２９０２５７号公報
【特許文献３】特開２００９−２５５３３０号公報
【特許文献４】特開２０１０−０３６５５０号公報
【発明の概要】
【発明が解決しようとする課題】
【００１０】
しかしながら、これら「マウス」のような使い方ができる塗膜転写具は、転写ヘッド以外に転写具のどこかが被転写面に接する部分を有する。そのように接することで、「マウス」のような使い方ができ、安定して転写させていた。一方、従来の塗膜転写具は、転写ヘッドだけ被転写面に接して、把持して使用するものである。本発明が解決しようとする課題は、転写ヘッド以外は被転写面に接することなく、把持して使用することができ、だれでもうまく転写できるものを提供することである。
【課題を解決するための手段】
【００１１】
「マウス」のような持ち方をしない一般的な塗膜転写具においては、使用者それぞれで持ち方が違っており、バラバラであった。それが問題であった。そこで、使用者が必ずある一定の持ち方になるような仕組みを塗膜転写具に設けることにしたものである。
【００１２】
本発明は、転写塗膜を基材テープ表面に形成している感圧転写テープが、繰出しリールから繰り出されて転写ヘッドを介して巻取りリールに巻かれるように、繰出しリールと巻取りリールの連動機構と共にケースに配置されており、ケースから突設した転写ヘッドにて感圧転写テープの転写塗膜を被転写面に転写する自動巻取り式の塗膜転写具において、ケース外方向へ付勢されている可動部をケース内方向へ押し込み、その押し込んだ位置でケースと可動部とに係止機構がなく、力を与えながら可動部を保持している状態にして塗膜を転写する塗膜転写具であって、可動部が転写ヘッドの保護カバーと連動しており、可動部を押し込むと保護カバーが動いて転写可能となることを特徴とするものである。また、可動部に連動して保護カバーが動く距離が、可動部を押し込む距離よりも長いことを特徴とするものである。さらに、距離の違いがてこ機構によるものであることを特徴とするものである。
【００１３】
これにより、可動部を押し込む必要があり、また、軽い力では押し込むことができず、ある程度の力を入れる必要があり、さらにはそのまま、塗膜転写具を動かさなければならない。そこで、しっかりと押し込み動かすのに親指を使わなければならない。これによって、使用者によって持ち方が変わることなく、親指で押し込む一定の持ち方になったものである。
【発明の効果】
【００１４】
本発明により、転写ヘッド以外は被転写面に接することなく、把持して使用することができ、だれでもうまく転写できるものを提供することができるようになった。
【図面の簡単な説明】
【００１５】
【図１】転写不可の状態の塗膜転写具を示した説明図である。
【図２】転写可能な状態の塗膜転写具を示した説明図である。
【図３】実施例１における図１の内部を示した説明図である。
【図４】実施例１における図２の内部を示した説明図である。
【図５】図３の可動部などを不透明にした説明図である。
【図６】図４の可動部などを不透明にした説明図である。
【図７】実施例１のカートリッジを示した説明図である。
【図８】図７の反対面を示した説明図である。
【図９】図７のカートリッジを抜いたケースの説明図である。
【図１０】実施例２のカートリッジを示した説明図である。
【図１１】不透明にして図１０を示した説明図である。
【図１２】図１０の反対面を示した説明図である。
【図１３】図１０のカートリッジを抜いたケースの説明図である。
【図１４】実施例２における図１の内部を示した説明図である。
【図１５】実施例２における図２の内部を示した説明図である。
【図１６】図１４の可動部などを不透明にした説明図である。
【図１７】図１５の可動部などを不透明にした説明図である。
【発明を実施するための形態】
【００１６】
塗膜転写具としては、修正テープやテープのりなど、転写塗膜がどのようなものでも構わない。また、テープやリールなどが交換可能なタイプでも、交換できずいわゆる使い切りタイプでも構わない。ここでは、塗膜転写具としてテープのりでカートリッジ交換可能なタイプで説明する。感圧転写テープの転写塗膜は、テープのりでは紙同士などを接着するための粘着塗膜である。交換カートリッジは、繰出しリール、転写ヘッド、巻取りリール、および、感圧転写テープを有したものである。
【００１７】
感圧転写テープは、基材テープの両面に剥離処理を施し、基材テープ表面に透明な粘着層を形成して、粘着塗膜としたものである。剥離処理は、基材テープの面によって剥離力に違いを設ける方が好ましい。粘着塗膜を形成する基材テープ表面よりも、その反対の基材テープ背面をよく剥離する面とした方が好ましい。
【００１８】
図１は、転写不可の状態の塗膜転写具１を示した説明図である。転写不可の状態における塗膜転写具１の外観を表している。図面において塗膜転写具１は、図面垂直方向に厚みがある。ケース２外方向へ可動部３が付勢されて、保護カバー４が転写ヘッドを覆っていて、転写できない状態（転写不可の状態）である。ここで、ケース２内部にあるカートリッジが交換可能なものであり、交換するための蓋体５がある。
【００１９】
図２は、転写可能な状態の塗膜転写具１を示した説明図である。転写可能な状態における塗膜転写具１の外観を表している。可動部３をケース２内方向へ押し込んでおり、それに連動して保護カバー４がケース２内へ動いて隠れている。そのため、保護カバー４による転写ヘッド６の覆いが取れて、転写ヘッド６が表れており、転写できる状態（転写可能な状態）である。図１で見えていた可動部３も保護カバー４も、ケース２内に入ってしまって、この図では見えていない。この塗膜転写具１を、使用者が転写ヘッド６を被転写面に押圧させながら図面右方向へ動かすと、転写塗膜を転写することができるものである。なお、可動部３は、ケース２のどこかの外側面に沿ってスライドさせるものではなく、ケース２内方向へ押し込むものにしている。
【実施例１】
【００２０】
図１と図２および図３から図６までを用いて、塗膜転写具１におけるケース２に設けた可動部３と保護カバー４などの連動した動きを先に説明する。そして次に、その他の構成などを詳細に説明する。
【００２１】
図３は、実施例１における図１の内部を示した説明図である。転写不可の状態における実施例１の塗膜転写具１であり、ケース２などを透明にして内部を表している。説明のために主要部材だけを表しているので、適宜省略しており、実物にはあるがこの図にはない部分もある。また図４は、実施例１における図２の内部を示した説明図である。転写可能な状態における実施例１の塗膜転写具１であり、ケース２などを透明にして、図３と同様に内部を表している。
【００２２】
図５は、図３の可動部３などを不透明にした説明図である。同じく図６は、図４の可動部３などを不透明にした説明図である。不透明にした部分は、可動部３と保護カバー４および変換部７である。それぞれに異なる模様を施している。
【００２３】
図３から図６において、ケース２やカートリッジ８および部材などほとんどは透明にして表しているが、繰出しリール９と巻取りリール１１は透明にせずに表している。またテープは、テープ幅方向が塗膜転写具１の厚み方向と同じ図面垂直方向で、この図面平面を動くので線で表している。図面において斜線を施した部分は、塗膜転写具１の図面垂直方向の厚み中央付近で断面となる部分である。
【００２４】
塗膜転写具１は、ケース２に交換可能なカートリッジ８を挿入しているものである。ケース２におけるカートリッジ８を固定する部分は省略している。そのカートリッジ８に、繰出しリール９、転写ヘッド６、巻取りリール１１、および、感圧転写テープ１２を設けている。
【００２５】
転写不可の状態である図１の内部を示した図３や図５の状態から、可動部３をケース２内方向へ押し込み、それに連動して保護カバー４がケース２内へ収まった状態であるのが図４や図６であり、転写可能な状態である図２の内部を示している。ここでは、可動部３が押し込まれると、それに接している変換部７が動いて、さらに変換部７に接している保護カバー４がケース２内に動いて収まるように配置されている。
【００２６】
可動部３は、可動部支軸１３を中心に回転するように設置している。可動部３は、図面手前と図面奥にある２つの平面板と、それらをつなぐ図面垂直にある２つの垂直板からなる。２つの平面板は同一形状で、図面平面でおおよそ鋭角三角形である。可動部支軸１３付近の角が鋭角に相当するが、丸みを帯びた形状である。その対辺は直線ではなく円弧である。２つの垂直板は、図３や図４にて斜線を施した部分であり、それらもほぼ直角につながっている。可動部支軸１３は、図面手前と図面奥にあるケース２とに渡って、ケース２内部に設けている。可動部３の図面手前と図面奥にある２つの平面板における円形孔に可動部支軸１３が貫いて、回転可能になっている。
【００２７】
変換部７は、変換部支軸１４を中心に回転するように設置している。変換部７は、図面手前と図面奥にある２つの平面板である。直接それらをつなぐ部分はないが、同じ動きをする。２つの平面板は同一形状で、図面平面で直角三角形の２つの鋭角付近にさらに直角に辺を設けたおおよそ五角形である。変換部支軸１４付近の角も直角に相当するが、丸みを帯びた形状である。変換部支軸１４は、図面手前と図面奥それぞれにおいて、ケース２から内側に向けて円柱凸状に設けている。変換部７の円形孔が変換部支軸１４の円柱凸状にはまって、回転可能になっている。そして、変換部支軸１４を中心に回転する変換部７は、図面手前と図面奥それぞれにおいて、可動部３（および保護カバー４）とケース２との間で動くようになっている。
【００２８】
保護カバー４は、ケース２内で摺動してなめらかにスライドするように設置している。保護カバー４は、四角筒の形状であり、その四角筒内部にカートリッジが通っている。カートリッジ８はケース２に固定されているので、保護カバー４がケース２内をスライドしても、カートリッジ８はケース２と共に動かないようになっている。同様に、そのカートリッジ８に設けている、繰出しリール９や転写ヘッド６などもケース２と共に動かない。図３や図４では、四角筒の４つの外側面の２つが図面垂直方向における断面であり、斜線を施して表している。図５や図６では、保護カバー４を不透明にして表しており、四角筒の４つの外側面の１つ（四角形面）が見えている。この四角筒形状の保護カバー４がなめらかにスライドして転写ヘッド６を覆ったりできるものである。なお、そのスライド用の摺動部材などは図では省略している。
【００２９】
可動部３を押し込む力は、変換部７に設けた変換部突起１５にて、可動部３から変換部７へ伝わる。変換部突起１５は、図面手前と図面奥にある変換部７のそれぞれの平面板からケース２中央へ向けて円柱凸状に設けている。図面では変換部７上に円形で表している。これらがそれぞれ、可動部３の図面手前と図面奥にある平面板それぞれと接しており、同じ動きをして、可動部３の動く力が伝わるようになっている。この円柱凸状の高さは、可動部３の平面板の厚さ程度である。図５と図６では、変換部７を不透明にして表しており、変換部突起１５は見えていない。
【００３０】
変換部７へ可動部３から伝わってきた力は、保護カバー４に設けた保護カバー突起１６にて、変換部７から保護カバー４へ伝わる。保護カバー突起１６は、図面手前と図面奥にある保護カバー４の外側面の２つからケース２側へ向けて円柱凸状に設けている。図面では保護カバー４の外側面上に円形で表している。これらがそれぞれ、変換部７の図面手前と図面奥にある平面板それぞれと接しており、変換部７の動く力が伝わるようになっている。この円柱凸状の高さは、変換部７の平面板の厚さ程度である。
【００３１】
ここで可動部３は、トーションばね１７によってケース２外方向へ付勢している。トーションばね１７は、円筒形のばね支軸１８を介して、トーションばね１７の一方がケース２に設けた部材に図では挟まれて保持され、もう一方が保護カバー４の付勢用突起１９に接するように、ケース２に設置されている。付勢用突起１９は、図面手前にある保護カバー４の外側面からケース２側へ向けて円柱凸状に設けている。図面では保護カバー４の外側面上に円形で表している。これにより、保護カバー４をケース２外方向へ付勢することになる。そして同時に、保護カバー突起１６に接する変換部７を介して、変換部突起１５に接する可動部３をケース２外方向へ付勢している。なおここでは、トーションばね１７はひとつであり、付勢用突起１９もひとつである。
【００３２】
ケース２と可動部３とに係止機構はない。そのため、力を与えたまま可動部３を保持していなければ、転写ヘッド６が保護カバー４に覆われてしまい、転写不可の状態になってしまうものにしている。ノック機構の出没方式では、ノックから指を離して力を抜いても、転写ヘッド６が現れたままの状態もあるが、ここではそれと異なり、可動部３から指を離すと、必ず使用できない状態になる。使用者がこの可動部３を押し込むことを続けなければならず、そして同時に、転写させるために塗膜転写具１を動かさなければならない。
【００３３】
可動部３を押し込むことと、塗膜転写具１を動かすことを行なうため、これらの力の微妙なバランスを無意識に取ろうとすると、使用者は親指で可動部３を押し込む持ち方になる。図１でいえば、右手の親指が可動部３に位置して、塗膜転写具１を把持する持ち方である。これによって、使用者によって持ち方が変わることなく、親指で押し込む一定の持ち方になる。ただし、人差し指や中指およびその他の指は、使用者によって持ち方や使い方が変わることもある。
【００３４】
さらに可動部３は、可動部支軸１３を中心に回転するようになっていて、回転方向に付勢されているものである。回転方向に付勢されていることにより、可動部３が回転してケース２内に収まることになる。ここで塗膜転写具１は図２でいえば図面右方向へ動かすことで転写できるものである。そのような動きを行なう必要があるために使用者にとって、可動部３が回転して収まる構成の方が、ケース２内にまっすぐ押して収まる構成よりも、同時に行なうふたつの動きに違和感を与えないものとなっている。これがまた、可動部３を押し込むという通常にはない追加された動きがあっても、使用者に使いにくさを感じさせないものとなっている。
【００３５】
この変換部７の形状と動作などによって、可動部３に連動して保護カバー４が動く距離が、可動部３を押し込む距離よりも長いものになっている。可動部３を押し込む距離を１とすると、可動部３に連動して保護カバー４が動く距離が１．５以上であるのが好ましい。１．５以上の違いがあると、使用者に可動させているという操作感を与え、使用者に可動部３を押し込んでもらいやすくなり、好ましいものである。図面の塗膜転写具１では、可動部３を押し込む距離を１とすると、可動部３に連動して保護カバー４が動く距離は１．６であり、具体的な長さでいえば、可動部３を押し込む距離７．５ｍｍと保護カバー４が動く距離１２ｍｍである。なお、可動部３を押し込む距離は円弧の部分であるが、直線に近似できる数値である。そしてここでは、この距離の違いがてこ機構によるものである。この変換部７でのてこ機構は、変換部支軸１４を支点として、可動部３から接する変換部突起１５への力を力点、変換部７から接する保護カバー突起１６への力を作用点として、構成しているものである。
【００３６】
さらに、転写不可の状態（図３や図５）から転写可能な状態（図４や図６）へ向かって、てこ機構は力の平衡点から遠ざかる方向である。ここでの力の平衡点とは、てこがつりあう状態、つまり、力がつりあって平衡している状態を意味している。その力がつりあった平衡点から遠ざかるように、可動部３と変換部突起１５との接点、および、変換部７と保護カバー突起１６との接点を設けている。
【００３７】
具体的には、可動部３が押し込まれると、可動部３と変換部突起１５との接点が可動部支軸１３の回転中心から遠ざかるようになっている。図ではわずかだけ遠ざかっている。また、変換部７と保護カバー突起１６との接点が変換部支軸１４の回転中心から遠ざかるようになっている。
【００３８】
これは、可動部３を押し込んでいる間に、てこの力の平衡点を通過しないものである。もし力の平衡点を通過した場合、その前後で押し込む力に対する反発力の強弱が変わることなり、そのような力の強弱変化があると、そこで使用者によっては押し込むことを止めてしまうことがあるからである。
【００３９】
次に実施例１の塗膜転写具１におけるその他の構成などを詳細に説明する。
【００４０】
図７は、実施例１のカートリッジ８を示した説明図である。交換可能なものである。図面手前と図面奥に２つの平板２１があり、その間に繰出しリール９や巻取りリール１１などをはさんで設置しているものである。ここでは平板２１を透明にして内部を表している。
【００４１】
転写ヘッド６は、平板２１からも突出して配置している。この突出した部分が、カートリッジ８をケース２に収めた時にも突出するようになっている。これにより、転写ヘッド６にて転写塗膜を転写することができる。
【００４２】
カートリッジ８において、感圧転写テープ１２が繰出しリール９から繰り出されて転写ヘッド６を介して巻取りリール１１に巻かれている。感圧転写テープ１２の転写塗膜が、転写ヘッド６にて被転写面に転写されると、感圧転写テープ１２の基材テープだけが巻取りリール１１に巻き取られることになる。
【００４３】
繰出しリール９は、円筒形の繰出しリール支軸２２に回転可能にはまっている。繰出しリール９には、感圧転写テープ１２が巻かれているコア２３がある。そのコア２３が、接続中間部２４を介して、図面奥にある繰出しリール９側面の繰出しギア２５と接続している。接続中間部２４は、その繰出しリール９側面の繰出しギア２５と一体ものであり、図では同じ模様を施している。そして、接続中間部２４の中心円が、円筒形の繰出しリール支軸２２に回転可能にはまっているものである。
【００４４】
接続中間部２４の中心円から外側へ設けている「くの字」形状の４箇所が、外側方向へ押しながらコア２３の内周面に接している。転写していてテープが動いているどこかの間でタイミングが合わなくなり、何かしらの強い力で感圧転写テープ１２が引っ張られることがあると、この４箇所ですべるようになっている。これにより、余計な引出しによるたるみやテープの破断などの不具合を防ぐことができるものである。
【００４５】
繰出しリール９から繰り出された感圧転写テープ１２は、円柱形の繰出しテープガイド２６と円柱形の転写テープガイド２７とに順に接して、転写ヘッド６へ導かれている。
【００４６】
転写ヘッド６は、ローラー３１タイプのものである。そのローラー３１に感圧転写テープ１２が巻かれて転写可能になっている。そこで感圧転写テープ１２の基材テープ背面から押圧して、感圧転写テープ１２の転写塗膜が被転写面に転写することができるものである。
【００４７】
ローラー３１のローラー支軸３２が転写ヘッド６のヘッド側壁３３に保持されている。ヘッド側壁３３はおおよそ三角形状で図面手前と図面奥とに２つあり、ローラー３１をはさんで回転可能にローラー支軸３２を軸支している。２つのヘッド側壁３３と固定接続されている主軸が、２つの平板２１の間に伸びており、円柱形の転写ヘッド支軸３４にて転写ヘッド６は保持されている。図ではこれらも透明で表しており、同じ模様を施している。なお、その他にも、転写ヘッド６の動きを規制するガイド部は適宜設ければよいが、図では省略している。
【００４８】
転写された後の感圧転写テープ１２の基材テープは、円柱形の巻取りテープガイド３５に接して、巻取りリール１１に巻き取られている。
【００４９】
巻取りリール１１は、円筒形の巻取りリール支軸３６に回転可能にはまっている。巻取りリール１１において、図面手前のリール側面は波形溝リール側面３７である。図面手前のリール側面に波形溝３８を有しているものである。波形溝３８は、図面垂直方向の手前に立ち上がる垂直面とそこから斜めに下がる斜面からなる三角波形状であり、円形扇のように形成している。この波形溝３８は、テープがたるんだりしたときに、直すために利用する溝である。図では、その波形溝３８の垂直面を外円周へ向かう直線で表している。そのような波形溝３８を有する波形溝リール側面３７である。そこから中心に向かって４本の短いスポークを介した巻取りリール１１の中心円が、円筒形の巻取りリール支軸３６に回転可能にはまっているものである。
【００５０】
カートリッジ８において、円筒形の繰出しリール支軸２２、円柱形の繰出しテープガイド２６、円柱形の転写テープガイド２７、円柱形の転写ヘッド支軸３４、円筒形の巻取りリール支軸３６、および、平板接続部３９は、図面手前と図面奥にある２つの平板２１とに渡って設けられている。そのため、これらは塗膜転写具１の図面垂直方向の厚み中央付近で断面となる部分であるので、図面において斜線を施して表している。
【００５１】
図８は、図７の反対面を示した説明図である。図７と同じく、繰出しリール９から繰り出された感圧転写テープ１２は、転写ヘッド６を介して巻取りリール１１に巻かれている。
【００５２】
繰出しリール９には、図面手前のリール側面（図７では見えていない図面奥側のリール側面）に繰出しギア２５、２つの爪部４１、および、２つの扇窓４２がある。その側面の中心付近では４本の短いスポークで接続している中心円がある。その中心円が、繰出しリール支軸２２に回転可能にはまっているものである。
【００５３】
巻取りリール１１には、図面手前のリール側面（図７では見えていない図面奥側のリール側面）に円形側面４３がある。その円形側面４３には、その径よりも小さな巻取りギア４４がある。転写された後の感圧転写テープ１２の基材テープは、図８では見えていない波形溝を有している波形溝リール側面３７と、この巻取りギア４４がある円形側面４３との間に巻き取られる。
【００５４】
繰出しリール９の繰出しギア２５と巻取りリール１１の巻取りギア４４とが歯合している。これにより、繰出しリール９と巻取りリール１１とが連動する。また、これらギア比とリール径比を調整して、たるむことなくテープを巻取るようになっている。加えて、逆転防止機構によって一方向に回転することになり、転写ヘッドにて転写塗膜を転写しながら自動にテープを巻取ることができるようになっている。
【００５５】
逆転防止機構は、一般的な塗膜転写具に設けられているものと同じで、いわゆるラチェットのような構造のものである。繰出しリール９の２つの爪部４１と、透明にして内部を表しているので図示していないが、平板２１内面に設けている円形扇形の凹凸溝とによって、逆転防止になるようにしている。
【００５６】
繰出しリール９の扇窓４２によって、感圧転写テープ１２の残量をこちらの面からも確認することができるようになっている。
【００５７】
図９は、図７のカートリッジ８を抜いたケース２の説明図である。図３において、蓋体５を開けて、カートリッジ８を抜いた状態で、ケース２などを透明にして表したものである。
【００５８】
蓋体５は、蓋係止爪４６を蓋係止溝４７からはずして、ヒンジ軸４８で回転させることで、開けることができる。蓋係止爪４６は、蓋係止解除部４９を押して蓋係止溝４７からはずすことができる。ここで蓋係止解除部４９は、蓋体５と蓋係止爪４６との接続部分であり、ここを押すことで蓋体５全体がたわんで、蓋係止爪４６を蓋係止溝４７からはずすことができるようになっている。
【００５９】
逆にいえば図３は、図９において図７のカートリッジ８を挿入して蓋体５を閉じたものである。カートリッジ８が、保護カバー４の四角筒内部に通っている。これらをちょうど位置決めしている部材などは、図では省略している。図３や図５の転写不可の状態から可動部３を押し込んで、図４や図６では、保護カバー４がケース２に収まって、転写ヘッド６が表れて、転写可能な状態になったものである。
【実施例２】
【００６０】
実施例２は、塗膜転写具１の外観は図１や図２と同じであるが、ケース２外方向へ可動部３を付勢している手段が異なるものである。実施例２では、コイルばね５１を使用しているものである。また、実施例１ではケース２にばねを設置しているが、実施例２ではカートリッジ８にばねを設置している。
【００６１】
図１０は、実施例２のカートリッジ８を示した説明図である。コイルばね５１を設置している交換可能なものである。コイルばね５１を設置していること以外は、図７の実施例１のカートリッジと同じであり、２つの平板２１の間に繰出しリール９や巻取りリール１１などをはさんで設置しているものである。ここでも平板２１を透明にして内部を表している。コイルばね５１以外の詳細な説明は、図７と同じなので省略する。
【００６２】
２つのばね支柱保持部５２が、図面手前と図面奥にある２つの平板２１とに渡って、四角柱状に設けている。その２つの四角柱状のばね支柱保持部５２が、それぞれの１つの壁面が相対するように設けており、それらに渡ってばね支柱５３を設置している。ばね支柱５３は円柱状であり、円柱の断面円がばね支柱保持部５２の壁面にくるように垂直に設置している。
【００６３】
その円柱状のばね支柱５３に、コイルばね５１がまかれているものである。また、ばね支柱５３には支柱可動部５４があり、その支柱可動部５４をコイルばね５１が付勢している。図ではコイルばね５１が伸びている状態であり、支柱可動部５４が押されて、左下の四角柱状のばね支柱保持部５２に当たっている。その支柱可動部５４には、付勢用突起１９を設けている。付勢用突起１９は、平板２１にある突起窓５５よりも外側へ突出させて円柱凸状に設けている。
【００６４】
図１１は、不透明にして図１０を示した説明図である。図面手前にあるカートリッジ８の平板２１と転写ヘッド６のヘッド側壁３３を不透明にしたものである。不透明にした部分を右上から左下への斜線を施して表している。カートリッジ８の平板２１には、突起窓５５があるので、その突起窓５５から付勢用突起１９や内部にあるコイルばね５１などが見えているものである。巻取りリール１１の波形溝３８も、平板２１よりも外方向へ出ており、テープがたるんだりしたときに、直すために利用しやすくしている。
【００６５】
図１２は、図１０の反対面を示した説明図である。コイルばね５１を設置していること以外は、図８と同じなので詳細な説明は省略する。コイルばね５１は図１０と向きは逆になるが、同じに設置している。こちらでも付勢用突起１９は、平板２１にある突起窓５５よりも外側へ突出させて円柱凸状に設けている。
【００６６】
図１３は、図１０のカートリッジを抜いたケース２の説明図である。実施例１の図９と比べると、実施例２の図１３では、トーションばね１７や円筒形のばね支軸１８がなく、保護カバー４の長尺がケース２内部で短く、保護カバー突起１９がない。それらが異なるところであるが、他のところは図９と同じである。
【００６７】
図１４は、図１３において図１０のカートリッジ８を挿入して蓋体５を閉じたものであり、実施例２における図１の内部を示した説明図である。転写不可の状態における実施例２の塗膜転写具１である。また図１５は、実施例２における図２の内部を示した説明図である。転写可能な状態における実施例２の塗膜転写具１である。これらの図は、ケース２などを透明にして、図３や図４と同様に内部を表している。
【００６８】
図１６は、図１４の可動部３などを不透明にした説明図である。同じく図１７は、図１５の可動部３などを不透明にした説明図である。不透明にした部分は、可動部３と保護カバー４および変換部７である。それぞれに異なる模様を施している。
【００６９】
図１４から図１７までのこれらの図において、保護カバー４の長尺がケース２内部で短く、ケース２内部の右上端で、支柱可動部５４に設けている付勢用突起１９と接するようになっている。図示していないが、図面裏側でも同じく接するようになっている。これにより、保護カバー４をケース２外方向へ付勢することになる。そして同時に、保護カバー突起１６に接する変換部７を介して、変換部突起１５に接する可動部３をケース２外方向へ付勢している。
【００７０】
このように、付勢している手段が異なるだけで、実施例１における変換部７の形状と動作などは同じであるため、可動部３に連動して保護カバー４が動く距離が、可動部３を押し込む距離よりも長く、その距離の違いがてこ機構によるものであることも同じである。また、可動部３は、回転方向に付勢されていることや、転写不可の状態（図１４や図１６）から転写可能な状態（図１５や図１７）へ向かって、てこ機構は力の平衡点から遠ざかる方向であることも、同じである。
【実施例３】
【００７１】
実施例３は、塗膜転写具１の外観は図１や図２と同じであるが、可動部３に連動して保護カバー４が動く距離が、可動部３を押し込む距離よりも長く、その距離の違いが、実施例１や実施例２におけるてこ機構によるものではなく、ラック・ピニオン機構によるものである。このラック・ピニオン機構以外は、実施例１と同じ構成のものである。
【００７２】
可動部３が押し込まれると、図示していないが、可動部３に設けた歯が歯合するギアを回転させる。そのギアは、同軸に別のギア（ピニオン）を有している。そのピニオンの歯が、歯切りしているラックに係合していて、ピニオンの回転と同時に、ラックを移動させる。そのラックが保護カバー４に設けられており、保護カバー４が動くことができる。なお、これらの歯数とギアの径の比などによって、距離の違いを出しているものである。このようなラック・ピニオン機構である。
【符号の説明】
【００７３】
１    塗膜転写具
２    ケース
３    可動部
４    保護カバー
５    蓋体
６    転写ヘッド
７    変換部
８    カートリッジ
９    繰出しリール
１１    巻取りリール
１２    感圧転写テープ
１３    可動部支軸
１４    変換部支軸
１５    変換部突起
１６    保護カバー突起
１７    トーションばね
１８    ばね支軸
１９    付勢用突起
２１    平板
２２    繰出しリール支軸
２３    コア
２４    接続中間部
２５    繰出しギア
２６    繰出しテープガイド
２７    転写テープガイド
３１    ローラー
３２    ローラー支軸
３３    ヘッド側壁
３４    転写ヘッド支軸
３５    巻取りテープガイド
３６    巻取りリール支軸
３７    波形溝リール側面
３８    波形溝
３９    平板接続部
４１    爪部
４２    扇窓
４３    円形側面
４４    巻取りギア
４６    蓋係止爪
４７    蓋係止溝
４８    ヒンジ軸
４９    蓋係止解除部
５１    コイルばね
５２    ばね支柱保持部
５３    ばね支柱
５４    支柱可動部
５５    突起窓
【図１】
2014024203.tif 000003
【図２】
2014024203.tif 000004
【図３】
2014024203.tif 000005
【図４】
2014024203.tif 000006
【図５】
2014024203.tif 000007
【図６】
2014024203.tif 000008
【図７】
2014024203.tif 000009
【図８】
2014024203.tif 000010
【図９】
2014024203.tif 000011
【図１０】
2014024203.tif 000012
【図１１】
2014024203.tif 000013
【図１２】
2014024203.tif 000014
【図１３】
2014024203.tif 000015
【図１４】
2014024203.tif 000016
【図１５】
2014024203.tif 000017
【図１６】
2014024203.tif 000018
【図１７】
2014024203.tif 000019